(57)【特許請求の範囲】
【請求項１】
ＬＡＮに接続される無線基地局装置であって、
前記ＬＡＮに接続された他の無線基地局装置に対し自己の機器識別情報を送信して自己と同類機種の無線基地局装置から応答を受信し、
前記応答を受信した同類機種の無線基地局装置の中から最先に前記応答を受信した無線基地局装置に対し、無線端末との間で通信を行うための既存の通信パラメータの送出要求を送信して前記通信パラメータを取得し、
前記取得した通信パラメータの情報に基づき自己の通信パラメータを設定することを特徴とする無線基地局装置。
【請求項２】
前記自己の機器識別情報の送信は、前記ＬＡＮにおける自己の属するネットワークセグメントにのみ送出されることを特徴とする請求項１に記載の無線基地局装置。
【請求項３】
ＬＡＮに接続される無線基地局装置であって、
前記ＬＡＮに接続された他の無線基地局装置に対し自己の機器識別情報を送信して自己と同類機種の無線基地局装置から応答を受信し、
前記応答を受信した同類機種の無線基地局装置の中から自己の最も近隣に配置された無線基地局装置を識別し、当該識別された無線基地局装置に対し、無線端末との間で通信を行うための既存の通信パラメータの送出要求を送信して前記通信パラメータを取得し、
前記取得した通信パラメータの情報に基づき自己の通信パラメータを設定することを特徴とする無線基地局装置。
【請求項４】
前記ＬＡＮが無線ＬＡＮであり、前記他の無線基地局装置からの電波の受信電波強度に基づき最も近隣に配置されているか否かの識別を行うことを特徴とする請求項３に記載の無線基地局装置。
【請求項５】
ＬＡＮに接続される無線基地局装置の通信パラメータ設定方法であって、
前記ＬＡＮに接続された他の無線基地局装置に対し自己の機器識別情報を送信するステップと、前記送信に対応して自己と同類機種の無線基地局装置から応答を受信するステップと、前記応答を受信した同類機種の無線基地局装置の中から最先に前記応答を受信した無線基地局装置に対し、無線端末との間で通信を行うための既存の通信パラメータの送出要求を送信するステップと、前記送出要求に対応して前記無線基地局装置から前記通信パラメータを取得するステップと、前記取得した通信パラメータの情報に基づき自己の通信パラメータを設定するステップとを有することを特徴とする無線基地局装置の通信パラメータ設定方法。
【発明の詳細な説明】
【技術分野】
【０００１】
本発明は、無線基地局装置および無線基地局装置の通信パラメータ設定方法に関するものである。
【背景技術】
【０００２】
近年、無線通信機能を備えたＰＣ、携帯情報端末および携帯電話等の無線端末装置によって無線通信を行う無線通信システム（無線ＬＡＮ等）が急速に普及しており、無線端末装置のユーザは、有線接続を必要とすることなく無線基地局装置（アクセスポイント）を介して各種データの送受信を行うことが可能となっている。
【０００３】
そのような無線通信システムにおいて、通信エリアの拡大や所定の通信エリア内における通信品質の向上のために無線基地局装置の新設や移設を必要とする場合がある。そのような場合、新たに設置された無線基地局装置については、無線端末装置との間で通信を行うための通信パラメータ（例えば、チャネルやセキュリティ方式等）を設定する必要がある。
【０００４】
従来、そのような通信パラメータを設定するための技術として、例えば、無線通信システムにおいて無線基地局装置と有線通信路を介して接続された通信制御装置を設け、この通信制御装置が、新たな無線基地局装置の接続を検出すると、その接続位置の情報から所定の通信パラメータ（ここでは、制御チャネル）を決定して新たな無線基地局装置に対して通知し、この通知に基づいて新たな無線基地局が通信パラメータを設定するように構成した無線通信システムが知られている（特許文献１参照）。
【特許文献１】特開平９−９８４７７号公報
【発明の開示】
【発明が解決しようとする課題】
【０００５】
しかしながら、上記特許文献１に記載のような従来技術では、無線基地局装置の通信パラメータを設定するための専用の装置（通信制御装置）を設ける必要があるので、システムの構成が複雑になりコスト面でも不利となるという問題があった。特に、ＳＯＨＯ等で利用されるような比較的小規模な無線通信システムでは、新たに設置された無線基地局装置に対して既設の無線基地局装置と同様の設定を適用することで足りる場合も多く、上記のような問題はより顕著なものになる。
【０００６】
一方、そのような専用の装置を設けることなく、ユーザが手動で通信パラメータを設定することも可能であるが、無線基地局装置を新設または移設するたびに通信パラメータを手動で逐一設定するのは作業が煩雑であり非効率的でもある。
【０００７】
本発明は、このような従来技術の問題点を解消するべく案出されたものであり、その主な目的は、装置の新設や移設などを行う際に、適切な通信パラメータを容易に設定することができる無線基地局装置および無線基地局装置の通信パラメータ設定方法を提供することにある。
【課題を解決するための手段】
【０００８】
本発明の無線基地局装置は、ＬＡＮ（ローカルエリアネットワーク）に接続される無線基地局装置であって、ＬＡＮに接続された他の無線基地局装置に対し自己の機器識別情報を送信して自己と同類機種の無線基地局装置から応答を受信し、応答を受信した同類機種の無線基地局装置の中から最先に応答を受信した無線基地局装置に対し、無線端末との間で通信を行うための既存の通信パラメータの送出要求を送信して通信パラメータを取得し、取得した通信パラメータの情報に基づき自己の通信パラメータを設定する構成とする。
【０００９】
また、本発明の無線基地局装置の通信パラメータ設定方法は、ＬＡＮに接続される無線基地局装置の通信パラメータ設定方法であって、ＬＡＮに接続された他の無線基地局装置に対し自己の機器識別情報を送信するステップと、送信に対応して自己と同類機種の無線基地局装置から応答を受信するステップと、応答を受信した同類機種の無線基地局装置の中から最先に前記応答を受信した無線基地局装置に対し、無線端末との間で通信を行うための既存の通信パラメータの送出要求を送信するステップと、送出要求に対応して無線基地局装置から通信パラメータを取得するステップと、取得した通信パラメータの情報に基づき自己の通信パラメータを設定するステップとを有する構成とする。
【発明の効果】
【００１０】
本発明によれば、装置の新設や移設などを行う際に、適切な通信パラメータを容易に設定することができるという優れた効果を奏する。無線基地局装置の通信パラメータを設定するために専用の装置を別途設ける必要はなく、通信パラメータの設定に関わるユーザの作業負荷も軽減できるという利点がある。
【発明を実施するための最良の形態】
【００１１】
上記課題を解決するためになされた第１の発明は、ＬＡＮに接続される無線基地局装置であって、前記ＬＡＮに接続された他の無線基地局装置に対し自己の機器識別情報を送信して自己と同類機種の無線基地局装置から応答を受信し、前記応答を受信した同類機種の無線基地局装置の中から最先に前記応答を受信した無線基地局装置に対し、無線端末との間で通信を行うための既存の通信パラメータの送出要求を送信して前記通信パラメータを取得し、前記取得した通信パラメータの情報に基づき自己の通信パラメータを設定する構成とする。
【００１２】
これによると、無線基地局装置の新設や移設などの際に、周囲の他の無線基地局装置における既存の通信パラメータを利用して、適切な通信パラメータを容易に設定することが可能となる。この場合、通信パラメータを設定するために専用の装置を別途設ける必要はなく、通信パラメータの設定に関わるユーザの作業負荷も軽減できるという利点がある。
【００１９】
上記課題を解決するためになされた第２の発明は、前記自己の機器識別情報の送信は、前記ＬＡＮにおける自己の属するネットワークセグメントにのみ送出される構成とすることができる。
【００２０】
これによると、同一のネットワークセグメント内に配置された同類機種の無線基地局装置から既存の通信パラメータを取得し、その既存の通信パラメータに基づき自己の通信パラメータをより適切に設定することが可能となる。
【００２１】
上記課題を解決するためになされた第３の発明は、ＬＡＮに接続される無線基地局装置であって、前記ＬＡＮに接続された他の無線基地局装置に対し自己の機器識別情報を送信して自己と同類機種の無線基地局装置から応答を受信し、前記応答を受信した同類機種の無線基地局装置の中から自己の最も近隣に配置された無線基地局装置を識別し、当該識別された無線基地局装置に対し、無線端末との間で通信を行うための既存の通信パラメータの送出要求を送信して前記通信パラメータを取得し、前記取得した通信パラメータの情報に基づき自己の通信パラメータを設定する構成とすることができる。
【００２２】
これによると、同類機種の中で最も近隣に配置された無線基地局装置から既存の通信パラメータを取得し、その既存の通信パラメータに基づき自己の通信パラメータをより適切に設定することが可能となる。
【００２３】
上記課題を解決するためになされた第４の発明は、前記ＬＡＮが無線ＬＡＮであり、前記他の無線基地局装置からの電波の受信電波強度に基づき最も近隣に配置されているか否かの識別を行う構成とすることができる。これによると、自己の最も近隣に配置された無線基地局装置を容易に検索することが可能となる。
【００２４】
上記課題を解決するためになされた第５の発明は、ＬＡＮに接続される無線基地局装置の通信パラメータ設定方法であって、前記ＬＡＮに接続された他の無線基地局装置に対し自己の機器識別情報を送信するステップと、前記送信に対応して自己と同類機種の無線基地局装置から応答を受信するステップと、前記応答を受信した同類機種の無線基地局装置の中から最先に前記応答を受信した無線基地局装置に対し、無線端末との間で通信を行うための既存の通信パラメータの送出要求を送信するステップと、前記送出要求に対応して前記無線基地局装置から前記通信パラメータを取得するステップと、前記取得した通信パラメータの情報に基づき自己の通信パラメータを設定するステップとを有する構成とする。
【００２５】
これによると、無線基地局装置の新設や移設などの際に、同類機種の無線基地局装置における既存の通信パラメータを利用して、適切な通信パラメータを容易に設定することが可能となる。
【００２６】
以下、本発明の実施の形態を、図面を参照しながら説明する。
【００２７】
図１は、本発明の第１の実施形態に係る無線基地局装置の構成を示す構成図である。この無線基地局装置１は、無線部２、有線ネットワークＩ／Ｆ（インタフェース）部３、制御部４および設定メモリ５を主として備える。ここで、無線基地局装置（以下、「新設ＡＰ」という）１は、第１の無線基地局装置（以下、「第１の既設ＡＰ」という）１１、第２の無線基地局装置（以下、「第２の既設ＡＰ」という）１２およびＤＨＣＰ(Dynamic Host Configuration Protocol)サーバ１３が有線ＬＡＮ１４に接続された構成を有する既存の無線ＬＡＮシステム２０に新たに設置されたものとする。
【００２８】
無線部２は、無線通信を行うための無線電波を送受信するアンテナを備えており、これにより、所定の無線ＬＡＮ規格（例えば、ＩＥＥＥ８０２．１１等）に従って新設ＡＰ１の通信エリアに属する図示しない無線端末装置との通信を可能とする。また、有線ネットワークＩ／Ｆ部３は、有線ＬＡＮ１４に接続するためのインタフェースであり、これにより、有線ＬＡＮ１４を介して接続される他の装置との通信を可能とする。
【００２９】
制御部４は、新設ＡＰ１の各部の動作を統括的に制御するものであり、特に、無線基地局装置１の通信パラメータ（図２参照）の設定に関し、装置検索部３１、装置種別識別部３２およびパラメータ設定部３３を備えている。
【００３０】
装置検索部（装置検索手段）３１は、有線ＬＡＮ１４に接続された他の無線基地局装置（即ち、第１の既設ＡＰ１１および第２の既設ＡＰ１２）を検索する機能を有する。より詳細には、装置検索部３１は、所定のＬＡＮ規格（例えば、ＩＥＥＥ８０２．３）に基づき生成されるフレームの送受信機能を有しており、Ｌ２（レイヤ２）ブロードキャストフレーム（検索メッセージ）を有線ＬＡＮ１４に送出する一方、そのブロードキャストフレームに応じて有線ＬＡＮ１４内の他の無線基地局装置が返信する応答フレーム（応答メッセージ）を受信することにより他の無線基地局装置を検索する。
【００３１】
ここで、ブロードキャストフレームには新設ＡＰ１の機器ＩＤの情報が付加され、また、応答フレームには応答する他の無線基地局装置の機器ＩＤの情報が付加される。これらの機器ＩＤは、各無線基地局装置に予め割り当てられた一意的な識別子であり、この機器ＩＤの情報に基づき各装置の機種や仕様等を把握することが可能となる。
【００３２】
装置種別識別部（同類装置識別手段）３２は、装置検索部３１によって検索された他の無線基地局装置の中から自己と同類機種の無線基地局装置を識別する機能を有する。より詳細には、装置種別識別部３２は、装置検索部３１が受信する応答フレームに含まれる他の無線基地局装置の機器ＩＤの情報に基づき当該無線基地局装置が自己と同類機種か否かを判定する。ここで、「同類機種」とは、自己と同一の機種であるか、または該当機種の通信パラメータに関する少なくとも一部の情報を新設ＡＰ１の通信パラメータの設定において利用可能な機種であることを意味する。
【００３３】
パラメータ設定部（パラメータ設定手段）３３は、装置検索部３１によって検索された他の無線基地局装置から取得した既存の通信パラメータの情報（以下、「設定情報」という）に基づき新設ＡＰ１の通信パラメータを設定する機能を有する。より詳細には、パラメータ設定部３３は、装置種別識別部３２によって同類機種であると判定された他の無線基地局装置に対して、設定情報の送出要求を送信し、この送出要求に応じて該当無線基地局装置から送信される設定情報に基づき新設ＡＰ１の通信パラメータを設定する。ここで、設定情報は、必ずしも他の無線基地局装置における既存の通信パラメータに関する全ての情報を含む必要はなく、新設ＡＰ１の通信パラメータの設定に利用可能な少なくとも一部の情報を含むものであればよい。
【００３４】
また、設定メモリ５は、新設ＡＰ１の通信パラメータや機器ＩＤの情報を初めとして上記制御部４における通信パラメータの設定動作に関する各種情報を記憶する不揮発性メモリである。
【００３５】
なお、第１の既設ＡＰ１１における無線部２２、有線ネットワークＩ／Ｆ部２３、制御部２４および設定メモリ２５については、それぞれ新設ＡＰ１における無線部２、有線ネットワークＩ／Ｆ部３、制御部４および設定メモリ５と概ね同様の機能を有する。ここで、第１の既設ＡＰ１１の制御部２４は、新設ＡＰ１の装置検索部３１から検索用のＬ２ブロードキャストフレームを受信すると、自己の機器ＩＤの情報を付加した応答フレームを返信することが可能である。また、詳細は図示していないが、第２の既設ＡＰ１２は、第１の既設ＡＰ１１と同様の構成を有する。
【００３６】
図２は、図１に示した無線基地局装置における通信パラメータの一例を示す図である。この通信パラメータは、新設ＡＰ１と無線端末装置との間の無線通信に関して設定されものであり、ここでは、無線ＬＡＮの規格の別（例えば、ＩＥＥＥ８０２．１１ｂ、８０２．１１ｂ／ｇ、８０２．１１ａ等）を示す「無線方式」、ＥＳＳＩＤ(Extended Service Set Identifier)等の無線ＬＡＮにおけるネットワークの識別子を示す「無線ＩＤ」、有線ＬＡＮに設定されるバーチャルＬＡＮの識別子を示す「ＶＬＡＮＩＤ」、無線通信のチャネルを示す「無線ＣＨ」、無線の送信電力を示す「電力」、無線通信における暗号化方式の別（例えば、ＷＥＰ、ＷＰＡ２−ＰＳＫ、ＷＰＡ２−ＥＡＰ等）を示す「セキュリティ方式」、接続可能な子機のＭＡＣ(Media Access Control)アドレスのリストを示す「ＭＡＣアドレスリスト」、ＤＨＣＰサーバの使用の有無を示す「ＤＨＣＰ使用」、「ＩＰアドレス」および「サブネットマスク」の各設定項目から構成された例を示している。
【００３７】
新設ＡＰ１は、上記設定項目の少なくとも一部を他の無線基地局装置から取得した設定情報に基づき設定することが可能である。通信パラメータの設定において、通常は同一の設定項目については他の無線基地局装置の通信パラメータにおける設定値を新設ＡＰ１の通信パラメータの設定値としてそのまま適用することが可能であるが、「無線ＣＨ」や「ＩＰアドレス」等については、有線ＬＡＮ１４における無線基地局装置の間で異なる値を用いる必要があり、そのまま適用することは好ましくない。例えば、無線ＣＨについては、他の無線基地局装置で使用されていないチャネルを自動的に割り当てるようにしたり、或いは、ユーザが手動で設定することも可能である。また、ＩＰアドレスについては、後述するように、ＤＨＣＰサーバから取得することが可能である。
【００３８】
なお、第１の既設ＡＰ１１および第２の既設ＡＰ１２の通信パラメータは、図２に示した新設ＡＰ１の通信パラメータと同様であることが好ましいが、それらの通信パラメータにおける設定項目は、必ずしも図２に示した通信パラメータの設定項目と完全に同一である必要はない。
【００３９】
図３は、図１に示した本発明に係る無線基地局装置が他の無線基地局装置との間で送受信を行う通信データの一例を示す図である。ここでは、新設ＡＰ１が自己の通信パラメータを設定する際に他の無線基地局装置との間で送受信するイーサネット（登録商標）フレーム４０を示している。
【００４０】
フレーム４０は、ヘッダ４１、データ４２及びＣＲＣ(Cyclic Redundancy Check)４３から主として構成される。ヘッダ４１は、送信先アドレス５１、発信元アドレス５２および長さ５３の情報を含み、また、データ４２は、制御ヘッダ部５４、データ部５５、ＦＣＳ(Frame Check Sequence)５６およびＰＤＤＩＮＧ５７を含む。
【００４１】
ここで、新設ＡＰ１の装置検索部３１が送出する検索用のブロードキャストフレームでは、制御ヘッダ部５４に検索要求の情報が付加され、そのブロードキャストフレームに応じて有線ＬＡＮ１４に接続された他の無線基地局装置が返信する応答フレームでは、制御ヘッダ部５４に検索応答の情報が付加される。また、新設ＡＰ１のパラメータ設定部３３が設定情報の送出要求をする際に送出するフレームでは、制御ヘッダ部５４に送出要求の情報が付加され、その設定情報の送出要求に応じて該当無線基地局装置から送信されるフレームでは、データ部５５に設定情報が付加される。
【００４２】
図４は、図１に示した無線基地局装置が通信パラメータを設定する際の通信動作を示すシーケンス図である。新設ＡＰ１が無線ＬＡＮシステム２０に新規に接続されると（Ｓ１０１）、装置検索部３１が、有線ＬＡＮ１４に接続された第１の既設ＡＰ１１および第２の既設ＡＰ１２を検索するためのブロードキャストフレームを送出する（Ｓ１０２）。このブロードキャストフレームは、有線ＬＡＮ１４において新設ＡＰ１が属するネットワークセグメントに送出され、これにより、同一のネットワークセグメント内に配置された他の無線基地局装置（ここでは、第１の既設ＡＰ１１または第２の既設ＡＰ１２）における通信パラメータに基づきより適切な通信パラメータの設定が可能となる。
【００４３】
ブロードキャストフレーム(図４)には、制御ヘッダ部５４に「検索要求」が、データ部５５に新設ＡＰ１の「機器ＩＤ」の情報が付加されており、ブロードキャストフレームを受信した第１の既設ＡＰ１１は、当該機器ＩＤの情報に基づき新設ＡＰ１の機種を確認し（Ｓ１０３）、同類機種であると判断すると制御ヘッダ部５４に「検索応答」とデータ部５５に自己の「機器ＩＤ」の情報を付加した応答フレームを新設ＡＰ１に対して返信する（Ｓ１０４）。同様に、第２の既設ＡＰ１１は、当該機器ＩＤの情報に基づき新設ＡＰ１の機種を確認し（Ｓ１０５）、同類機種であると判断すると自己の機器ＩＤを含む応答フレームを新設ＡＰ１に対して返信する（Ｓ１０６）。
【００４４】
ここでは、第１の既設ＡＰ１１および第２の既設ＡＰ１２は、ともに新設ＡＰ１と同類機種である場合を示しているが、Ｓ１０３またはＳ１０５において同類機種でないと判断された場合は、応答フレームの返信は行われない。
【００４５】
そこで、新設ＡＰ１が第１の既設ＡＰ１１および第２の既設ＡＰ１２からそれぞれの応答フレームを受信すると、装置種別識別部３２が、応答フレームに付加された機器ＩＤの情報に基づき第１の既設ＡＰ１１および第２の既設ＡＰ１２について自己と同類機種か否かをそれぞれ判定する（Ｓ１０７）。ここでは、第１の既設ＡＰ１１および第２の既設ＡＰ１２はともに同類機種であるので、パラメータ設定部３３は、先に応答フレームを受信した第１の既設ＡＰ１１を設定情報の要求先として選択し（Ｓ１０８）、第１の既設ＡＰ１１に対して設定情報を要求する(具体的には、フレーム４０のヘッダ制御部５４に「送出要求」を付加して送信する）（Ｓ１０９）。この要求を第１の既設ＡＰ１１が受信すると、制御部２４が、設定メモリ２５に記憶された通信パラメータの情報をデータ部５５に付加し、ヘッダ制御部５４に「送信応答」を付加したフレームを新設ＡＰ１に対して返信する（Ｓ１１０）。
【００４６】
この場合、新設ＡＰ１のパラメータ設定部３３は、Ｓ１０９の設定情報の要求において必要な設定項目の情報を第１の既設ＡＰ１１に対して通知することができ、Ｓ１１０において、第１の既設ＡＰ１１の制御部２４は、その通知された設定項目の情報から該当する設定値の情報のみを、返信するフレームに付加することが可能である。
【００４７】
続いて、新設ＡＰ１が第１の既設ＡＰ１１からの設定情報を取得すると、パラメータ設定部３３が、当該設定情報に基づき通信パラメータを設定する（Ｓ１１１）。その設定が完了すると、新設ＡＰ１は第１の既設ＡＰ１１に対して設定完了の通知を送信し（Ｓ１１２）、さらに、ＤＨＣＰサーバ１３に対してＩＰアドレスの送出要求を送信する（Ｓ１１３）。この送出要求に応答したＤＨＣＰサーバ１３からＩＰアドレスを取得すると（Ｓ１１４）、通信パラメータの設定に関する一連の通信動作が終了する。
【００４８】
図５は、本発明の第２の実施形態に係る無線基地局装置の構成を示す構成図である。この無線基地局装置（以下、「新設ＡＰ」という）１０１は、無線部１０２、有線ネットワークＩ／Ｆ部１０３、制御部１０４および設定メモリ１０５を主として備える。これら各部１０２〜１０５は、以下で特に言及しない限り、図１に示した新設ＡＰ１の無線部２、有線ネットワークＩ／Ｆ部３、制御部４および設定メモリ５とそれぞれ同様の機能を有するものとする。また、図５には示していないが、新設ＡＰ１０１は、図１の場合と同様に既存の無線ＬＡＮシステム２０に新たに設置されたものとする。なお、既設ＡＰ１１、既設ＡＰ１２は新設ＡＰ１０１と同様の構成であってもよい。
【００４９】
制御部１０４は、装置検索部１３１、装置種別識別部１３２およびパラメータ設定部１３３を備え、これらは図１に示した制御部４における装置検索部３１、装置種別識別部３２およびパラメータ設定部３３とそれぞれ同様の機能を有するが、更に近隣装置識別部（近隣装置識別手段）１３４を備える点において図１に示した制御部４と異なる。
【００５０】
近隣装置識別部１３４は、装置検索部１３１によって検索された他の無線基地局装置（即ち、図１に示した第１の既設ＡＰ１１および第２の既設ＡＰ１２）の中から新設ＡＰ１０１の最も近隣に配置された無線基地局装置を識別する機能を有する。より詳細には、近隣装置識別部１３４は、新設ＡＰ１０１の周囲に存在する他の無線基地局装置を確認するためのプローブ要求（管理フレーム）を無線部１０２を介して送出する一方、そのプローブ要求に応じて周囲に存在する他の無線基地局装置が返信するプローブ応答に基づき無線電波の受信電波強度（受信信号レベル）を認識する。そこで、他の無線基地局装置からの受信電波強度を比較し、新設ＡＰ１０１の最も近隣に配置された無線基地局装置を識別する。
【００５１】
装置検索部１３１は、Ｌ２ブロードキャストフレームを有線ＬＡＮ１４に送出する一方、そのブロードキャストフレームに応じて有線ＬＡＮ１４に接続された他の無線基地局装置が返信する応答フレームを受信することにより他の無線基地局装置を検索する。
【００５２】
装置種別識別部１３２は、装置検索部１３１が受信する応答フレームに含まれる他の無線基地局装置の機器ＩＤの情報に基づき当該無線基地局装置が自己と同類機種か否かを判定する。
【００５３】
パラメータ設定部１３３は、装置種別識別部１３２によって同類機種であると判定された他の無線基地局装置の中で、近隣装置識別部１３４によって最も近隣に配置されたと識別された無線基地局装置に対して設定情報の送出要求を送信し、この送出要求に応じて該当無線基地局装置から送信される設定情報に基づき新設ＡＰ１０１の通信パラメータを設定する。
【００５４】
図６は、図５に示した無線基地局装置が通信パラメータを設定する際の通信動作を示すシーケンス図である。新設ＡＰ１０１が無線ＬＡＮシステム２０に新規に接続されると（Ｓ２０１）、近隣装置識別部１３４が、新設ＡＰ１０１の周囲に存在する他の無線基地局装置を確認するためのプローブ要求を無線部１０２を介して送出する（Ｓ２０２）。プローブ要求を受信した第１の既設ＡＰ１１および第２の既設ＡＰ１２は、それぞれプローブ応答を返信する（Ｓ２０３、Ｓ２０４）。
【００５５】
なお、ここでは、第１の既設ＡＰ１１および第２の既設ＡＰ１２が新設ＡＰ１０１の無線通信エリア内に設置されている場合を示しているが、新設ＡＰ１０１の無線通信エリアの範囲外に設置されている場合は、Ｓ２０３またはＳ２０４におけるプローブ応答の返信は行われない。
【００５６】
新設ＡＰ１０１がプローブ応答を受信すると、近隣装置識別部１３４が、当該プローブ応答に基づき受信電波強度をそれぞれ認識するとともに、ＢＳＳＩＤ(Basic Service Set Identifier)を決定する（Ｓ２０５）。続いて、近隣装置識別部１３４は、第１の既設ＡＰ１１および第２の既設ＡＰ１２についての受信電波強度を比較し、最も強度の高いプローブ応答を返信した無線基地局装置（ここでは、第１の既設ＡＰ１１）を、新設ＡＰ１０１の最も近隣に配置された無線基地局装置として決定する（Ｓ２０６）。
【００５７】
そこで、装置検索部１３１が、有線ＬＡＮ１４に接続された第１の既設ＡＰ１１および第２の既設ＡＰ１２を検索するためのブロードキャストフレームを送出し（Ｓ２０７）、その後、図４に示したＳ１０３〜Ｓ１１４とそれぞれ同様の動作であるＳ２０８〜Ｓ２１９が実行される。
【００５８】
ただし、Ｓ２１３においては、パラメータ設定部１３３は、図４に示したパラメータ設定部３３の動作（Ｓ１０８）とは異なり、同類機種であると判定された第１の既設ＡＰ１１および第２の既設ＡＰ１２のうち先に応答フレームを受信した第１の既設ＡＰ１１を設定情報の要求先として選択するのではなく、同類機種であると判定された第１の既設ＡＰ１１および第２の既設ＡＰ１２のうち最も近隣に配置されたと識別された無線基地局装置（ここでは、第２の既設ＡＰ１２）を設定情報の要求先として選択する。この場合、最も近隣に配置された第２の既設ＡＰ１２が同類機種でない場合には、次に近隣に配置された第１の既設ＡＰ１１が設定情報の要求先として選択される。
【００５９】
なお、Ｓ２０２において、別法として、近隣装置識別部１３４がプローブ要求を送出せずに、第１の既設ＡＰ１１および第２の既設ＡＰ１２が定期的に発信するビーコン信号を受信し、当該ビーコン信号に基づき受信電波強度をそれぞれ認識する構成も可能である。
【００６０】
本発明を特定の実施形態に基づいて詳細に説明したが、これらの実施形態はあくまでも例示であって本発明はこれらの実施形態によって限定されるものではない。例えば、本発明の無線基地局装置が設置される既設の無線通信システムは、必ずしも図１に示した無線ＬＡＮシステムと同一の構成である必要はなく、他の無線基地局装置の数やその具備する機能も種々の変更が可能である。また、本発明の無線基地局装置の通信パラメータの全てを、他の無線基地局装置における既存の通信パラメータの情報に基づき設定する必要は必ずしもなく、通信パラメータの一部をユーザが手動で設定したり、別の手段により設定することも可能である。
【産業上の利用可能性】
【００６１】
本発明にかかる無線基地局装置および無線基地局装置の通信パラメータ設定方法は、装置の新設や移設などを行う際に、適切な通信パラメータを容易に設定することができ、無線基地局装置および無線基地局装置の通信パラメータ設定方法として有用である。
【図面の簡単な説明】
【００６２】
【図１】本発明の第１の実施形態に係る無線基地局装置の構成を示す構成図
【図２】図１の無線基地局装置における通信パラメータの一例を示す図
【図３】図１の無線基地局装置の通信データの一例を示す図
【図４】図１の無線基地局装置が通信パラメータを設定する際の通信動作を示すシーケンス図
【図５】本発明の第２の実施形態に係る無線基地局装置の構成を示す構成図
【図６】図５の無線基地局装置が通信パラメータを設定する際の通信動作を示すシーケンス図
【符号の説明】
【００６３】
１、１０１  無線基地局装置
２０  無線ＬＡＮシステム
３１、１３１  装置検索部（装置検索手段）
３２、１３２  装置種別識別部（同類装置識別手段）
３３、１３３  パラメータ設定部（パラメータ設定手段）
１３４  近隣装置識別部（近隣装置識別手段）
【図１】
0004836537.tif 000002
【図２】
0004836537.tif 000003
【図３】
0004836537.tif 000004
【図４】
0004836537.tif 000005
【図５】
0004836537.tif 000006
【図６】
0004836537.tif 000007